(57)【要約】【課題】  本発明の目的は使用者の命令に従ってＮＴＳＣ映像のフォーマットを選択的に変換させることができるようにした液晶表示装置の駆動装置及び駆動方法を提供するのにある。【解決手段】  本発明の実施例に係る液晶表示装置の駆動装置はゲートラインとデータラインの交差部それぞれに液晶セルが配列されて入力される映像信号と異なる映像フォーマットで前記映像信号を表示するための液晶パネルと、使用者の操作によりパルス信号を生成するスイッチと、前記パルス信号をカウンティングするカウンターと、前記カウンターから供給される入力信号に応答して前記液晶パネルに表示される前記映像信号の映像フォーマットを変更するタイミング制御部と、を具備することを特徴とする。【選択図】図３
2005020749.tif 000002
【特許請求の範囲】
【請求項１】
ゲートラインとデータラインの交差部毎に液晶セルが配列されて入力される映像信号と異なる映像フォーマットで前記映像信号を表示するための液晶パネルと、使用者の操作によりパルス信号を生成するスイッチと、前記パルス信号をカウンティングするカウンターと、前記カウンターから供給される入力信号に応答して前記液晶パネルに表示される前記映像信号の映像フォーマットを変更するタイミング制御部と、を具備することを特徴とする液晶表示装置の駆動装置。
【請求項２】
前記スイッチと前記カウンターとの間に配置されて、前記パルス信号のノイズをとり除いて前記カウンターに供給するプルリブプルロブをさらに具備することを特徴とする請求項１記載の液晶表示装置の駆動装置。
【請求項３】
外部から前記映像信号を供給受けて前記タイミング制御部に供給する映像信号処理部と、前記液晶パネルのデータラインを駆動させるためのデータドライバーと、前記液晶パネルのゲートラインを駆動させるためのゲートドライバーと、をさらに具備することを特徴とする請求項１記載の液晶表示装置の駆動装置。
【請求項４】
前記映像フォーマットは前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットと、を具備することを特徴とする請求項３記載の液晶表示装置の駆動装置。
【請求項５】
前記第１映像フォーマットは、前記入力される映像信号と、前記映像信号の周辺に表示されるブラック信号を含むことを特徴とする請求項４記載の液晶表示装置の駆動装置。
【請求項６】
前記第３映像フォーマットは、前記入力される映像信号の映像フォーマットから横及び縦の割合が一定の割合で拡大されて表示される映像信号と、前記映像信号の上側及び下側端に表示されるブラック信号と、を含むことを特徴とする請求項４記載の液晶表示装置の駆動装置。
【請求項７】
前記第３映像フォーマットは、前記入力映像信号の映像フォーマットから横及び縦の割合が一定の割合で拡大されて表示される映像信号と、前記映像信号の左側及び右側端に表示されるブラック信号と、を含むことを特徴とする請求項４記載の液晶表示装置の駆動装置。
【請求項８】
前記タイミング制御部は、前記カウンターからの入力信号に応答して前記第１乃至第３映像フォーマットの中からいずれかの映像フォーマットを選択して選択された映像フォーマットによって前記ゲートドライバー及び前記データドライバーを制御することを特徴とする請求項４記載の液晶表示装置の駆動装置。
【請求項９】
前記カウンター及びプルリブプルロブの中から少なくとも一つは、前記タイミング制御部に内臓されることを特徴とする請求項２記載の液晶表示装置の駆動装置。
【請求項１０】
入力される映像信号を表示するための液晶パネルと、使用者の操作により前記液晶パネルに表示される前記映像信号の横及び縦の割合の比を変更して前記映像信号の映像フォーマットを変更するデータ変換部と、前記データ変換部からの前記映像信号を変更された前記映像フォーマットにより前記液晶パネルに供給するデータ駆動部と、を具備することを特徴とする液晶表示装置の駆動装置。
【請求項１１】
前記データ変換部は使用者の操作によりパルス信号を生成するスイッチと、前記パルス信号をカウンティングするカウンターと、前記カウンターから供給される入力信号に応答して前記液晶パネルに表示される前記映像信号の映像フォーマットを変更するタイミング制御部と、を具備することを特徴とする請求項１０記載の液晶表示装置の駆動装置。
【請求項１２】
前記データ変換部は、前記スイッチと前記カウンターとの間に配置されて前記パルス信号のノイズをとり除いて前記カウンターに供給するプルリブプルロブをさらに具備することを特徴とする請求項１１記載の液晶表示装置の駆動装置。
【請求項１３】
外部から前記映像信号を供給受けて前記タイミング制御部に供給する映像信号処理部と、前記液晶パネルにスキャン信号を供給するゲートドライバーと、をさらに具備することを特徴とする請求項１１記載の液晶表示装置の駆動装置。
【請求項１４】
前記映像フォーマットは、前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットと、を具備することを特徴とする請求項１３記載の液晶表示装置の駆動装置。
【請求項１５】
前記第１映像フォーマットは、前記入力される映像信号と、前記映像信号の周辺に表示されるブラック信号と、を含むことを特徴とする請求項１４記載の液晶表示装置の駆動装置。
【請求項１６】
前記第３映像フォーマットは、前記入力される映像信号の映像フォーマットから横及び縦の割合が一定の割合で拡大されて表示される映像信号と、前記映像信号の上側及び下側端に表示されるブラック信号と、を含むことを特徴とする請求項１４記載の液晶表示装置の駆動装置。
【請求項１７】
前記第３映像フォーマットは、前記入力映像信号の映像フォーマットから横及び縦が一定の割合で拡大されて表示される映像信号と、前記映像信号の左側及び右側端に表示されるブラック信号と、を含むことを特徴とする請求項１４記載の液晶表示装置の駆動装置。
【請求項１８】
前記タイミング制御部は、前記カウンターからの入力信号に応答して前記第１乃至第３映像フォーマットの中からいずれかの映像フォーマットを選択して、選択された映像フォーマットにより前記ゲートドライバー及び前記データドライバーを制御することを特徴とする請求項１４記載の液晶表示装置の駆動装置。
【請求項１９】
ゲートラインとデータラインの交差部それぞれに液晶セルが配列されて入力される映像信号と異なる映像フォーマットで前記映像信号を表示するための液晶パネルを用意する工程と、使用者の操作によりパルス信号を生成する工程と、カウンターを利用して前記パルス信号をカウンティングする工程と、前記カウンターから供給される入力信号に応答して前記液晶パネルに表示される前記映像信号の映像フォーマットを変更する工程と、を含むことを特徴とする液晶表示装置の駆動方法。
【請求項２０】
前記パルス信号のノイズをとり除いて前記カウンターに供給する工程をさらに含むことを特徴とする請求項１９記載の液晶表示装置の駆動方法。
【請求項２１】
前記映像フォーマットは、前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットと、を具備することを特徴とする請求港１９記載の液晶表示装置の駆動方法。
【請求項２２】
前記第１映像フォーマットは、前記入力される映像信号と、前記映像信号の周辺に表示されるブラック信号と、を含むことを特徴とする請求項１９記載の液晶表示装置の駆動方法。
【請求項２３】
前記第３映像フォーマットは、前記入力される映像信号の映像フォーマットから横及び縦が一定の割合で拡大されて表示される映像信号と、前記映像信号の上側及び下側端に表示されるブラック信号と、を含むことを特徴とする請求項１９記載の液晶表示装置の駆動方法。
【請求項２４】
前記第３映像フォーマットは、前記入力映像信号の映像フォーマットから横及び縦の割合が一定の割合で拡大されて表示される映像信号と、前記映像信号の左側及び右側端に表示されるブラック信号と、を含むことを特徴とする請求項１９記載の液晶表示装置の駆動方法。
【請求項２５】
前記液晶パネルに表示される前記映像信号の映像フォーマットを変更する工程は、前記カウンターからの入力信号に応答して前記第１乃至第３映像フォーマットの中からいずれかの映像フォーマットを選択する工程と、前記選択された映像フォーマットにより前記ゲートラインを駆動させるためのゲートドライバー及び前記データラインを駆動させるためのデータドライバーを制御する工程と、を含むことを特徴とする請求項１９記載の液晶表示装置の駆動方法。
【発明の詳細な説明】
【技術分野】
【０００１】
本発明は液晶表示装置の駆動装置及び駆動方法に関することで、特に使用者の命令に従ってＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）映像信号の映像フォーマットを選択的に変換させることができるようにした液晶表示装置の駆動装置及び駆動方法に関するものである。
【背景技術】
【０００２】
アクティブマトリックス（Ａｃｔｉｖｅ  Ｍａｔｒｉｘ）駆動方式の液晶表示装置はスイチング素子として薄膜トランジスタ（Ｔｈｉｎ  Ｆｉｌｍ  Ｔｒａｎｓｉｓｔｏｒ；以下、“ＴＦＴ”という）を利用して自然な動画像を表示している。このような液晶表示装置はブラウン管に比べて小型化が可能でパーソナルコンピューター（Ｐｅｒｓｏｎａｌ  Ｃｏｍｐｕｔｅｒ）とノートブックコンピューター（Ｎｏｔｅ  Ｂｏｏｋ  Ｃｏｍｐｕｔｅｒ）は勿論、コピー機などのオフィスオートメーション器機、携帯電話機やポケットベルなどの携帯器機まで手広く利用されている。 
【０００３】
アクティブマトリックスタイプの液晶表示装置は液晶画素セルがゲートラインとデータラインの交差部それぞれに配列されられた画素マットリックス（Ｐｉｃｔｕｒｅ  Ｅｌｅｍｅｎｔ  ＭａｔｒｉｘまたはＰｉｘｅｌ  Ｍａｔｒｉｘ）にテレビ信号のようなビデオ信号にあたる画像を表示するようになる。ＴＦＴはゲートラインとデータラインの交差部に設置されてゲートラインからのスキャン信号（ゲートパルス）に応答して液晶画素セルの方に伝送されるデータ信号を絶換するようになる。
【０００４】
このような、液晶表示装置はテレビ信号方式によりＮＴＳＣ（アメリカカラーテレビ標準方式選定のために組職された委員会）信号方式用とＰＡＬ（西ドイツで開発されたカラーテレビ方式）信号方式用から分けられる。
【０００５】
一般的に、ＮＴＳＣ信号（５２５垂直ライン）が入力されれば液晶表示装置の水平ディスプレー解像度はサンプリングされるデータの数により表現されて、垂直解像度は２３４ラインデ−イントレイス（Ｄｅｉｎｔｅｒｌａｃｅ）方式に表現される。及び、ＰＡＬ信号（６２５垂直ライン）が入力されれば液晶表示装置の水平ディスプレー解像度はサンプリングされるデータの数により表現されて、垂直解像度は６個垂直ライン毎に１個ラインをとり除いて５２１個ラインから作ってＮＴＳＣ信号のような処理方式に表現される。
【０００６】
図１を参照すれば、従来の液晶表示装置の駆動装置は液晶セルがマトリックスタイプに配列された液晶パネル３０と、液晶パネル３０のゲートラインＧＬを駆動するためのゲートドライバー３４と、液晶パネル３０のデータラインＤＬを駆動するためのデータドライバー３２と、外部から入力される映像信号ＮＴＳＣを液晶パネル３０の駆動に適当な電圧で変換することと同時に映像信号ＮＴＳＣで複合動機信号を出力する映像信号処理部１０と、液晶パネル３０に表示される映像信号ＮＴＳＣのフォーマットを変換するためのフォーマット信号を生成するフォーマット信号生成部２２と、映像信号処理部１０から複合動機信号を入力受けて水平動機信号及び垂直動機信号を分離して出力することと同時にフォーマット信号生成部２２から供給されるフォーマット信号Ｍ１、Ｍ２、Ｍ３によりゲートドライバー３４及びデータドライバー３２を制御するタイミング制御部２０と、を具備する。
【０００７】
映像信号処理部１０は外部から供給される映像信号ＮＴＳＣを液晶パネル３０の特性により駆動に適当な電圧で変換してデータドライバー３２に供給して、複合動機信号をタイミング制御部２０に供給する。
【０００８】
液晶パネル３０はマトリックスタイプに配列された液晶セルと、ゲートラインＧＬとデータラインＤＬの交差部毎に形成されて液晶セルそれぞれと接続されたＴＦＴを具備する。
【０００９】
ＴＦＴはゲートラインＧＬからのスキャン信号、すなわちゲートハイ電圧ＶＧＨが供給される場合ターンオンされてデータラインＤＬからの画素信号を液晶セルに供給する。及び、ＴＦＴはゲートラインＧＬからゲートロー電圧ＶＧＬが供給される場合ターンオフされて液晶セルに充電された画素信号が維持されるようにする。
【００１０】
液晶セルは等価的に液晶用量キャパシターＣｌｃに表現されて、液晶を間に置いて対面する共通電極とＴＦＴに接続された画素電極を含む。及び、液晶セルは充電された画素信号が次の画素信号が充電されるまで安定的に維持されるようにするためにストレージキャパシターＣｓｔをさらに具備する。このストレージキャパシターＣｓｔは以前端ゲートラインと画素電極との間に形成される。このような液晶セルはＴＦＴを通じて充電される画素信号により誘電異方性を有する液晶の配列状態が可変して光透過率を調節することで階調を具現するようになる。
【００１１】
ゲートドライバー３４はタイミング制御部２０からのゲート制御信号ＧＳＰ、ＧＳＣ、ＧＯＥに応答してゲートラインＧＬに順次的にゲートハイ電圧ＶＧＨを供給する。これによって、ゲートドライバー３４はゲートラインＧＬに接続されたＴＦＴをゲートラインＧＬ単位に駆動する。
【００１２】
具体的に、ゲートドライバー３４はゲートスタートパルスＧＳＰをゲートシフトパルスＧＳＣに沿ってシフトさせてシフトパルスを発生する。及び、ゲートドライバー３４はシフトパルスに応答して水平期間Ｈ１、Ｈ２、...毎に該当のゲートラインＧＬにゲートハイ電圧ＶＧＨを供給するようになる。この場合、ゲートドライバー３４はゲート出力イネーブル信号ＧＯＥに応答してイネーブル期間でばかりゲートハイ電圧ＶＧＨを供給するようになる。及び、ゲートドライバー３４はゲートラインＧＬにゲートハイ電圧ＶＧＨが供給されない他の期間においてはゲートロー電圧ＶＧＬを供給するようになる。
【００１３】
データドライバー３２はタイミング制御部２０からのデータ制御信号ＳＳＰ、ＳＳＣ、ＳＯＥに応答して水平期間Ｈ１、Ｈ２、...毎に１ライン分ずつの画素データ信号をデータラインＤＬに供給する。
【００１４】
具体的に、データドライバー３２はソーススタートパルスＳＳＰをソースシフトクラックＳＳＣによりシフトさせてサンプリング信号を発生する。引き継いで、データドライバー３２はサンプリング信号に応答してアナログ映像信号Ｒ、Ｇ、Ｂを一定単位ずつ順次的に入力してラッチする。および、データドライバー３２はラッチされた１ライン分の画素データ信号をデータラインＤＬに供給するようになる。
【００１５】
フォーマット信号生成部２２は図２に図示されたところのように電圧原Ｖｃｃと基底電圧原ＧＮＤとの間に直列接続された第１及び第２スイッチＳＷ１、ＳＷ２を含む第１フォーマット信号生成部２２ａ、電圧原Ｖｃｃと基底電圧原ＧＮＤとの間に直列接続された第３及び第４スイッチＳＷ３、ＳＷ４を含む第２フォーマット信号生成部２２ｂ、電圧原Ｖｃｃと基底電圧原ＧＮＤとの間に直列接続された第５及び第６スイッチＳＷ５、ＳＷ６を含む第３フォーマット信号生成部２２ｃと、を具備する。
【００１６】
フォーマット信号生成部２２はスイチング制御信号に応答して第１乃至第６スイッチＳＷ１乃至ＳＷ６のそれぞれのスイチングにより電圧原Ｖｃｃからのハイ状態の電圧Ｖｃｃまたは基底電圧原ＧＮＤからの基底電圧ＧＮＤをタイミング制御部２０に供給する。この時、スイチング制御信号はシステムエンジニアにより予め設定されられる。
【００１７】
具体的に、第１フォーマット信号生成部２２ａはスイチング制御信号に応答して第１及び第２スイッチＳＷ１、ＳＷ２中、第１スイッチＳＷ１だけがオン（ＯＮ）になればハイ状態の第１フォーマット信号Ｍ１をタイミング制御部２０に用意された第１フォーマット信号入力端子に供給して、第2スイッチＳＷ２だけがオンになれば基底状態の第１フォーマット信号Ｍ１をタイミング制御部２０に用意された第１フォーマット信号入力端子に供給する。同じで、第２フォーマット信号生成部２２ｂはスイチング制御信号に応答して第３及び第４スイッチＳＷ３、ＳＷ４中、第３スイッチＳＷ３だけがオンになればハイ状態の第２フォーマット信号Ｍ２をタイミング制御部２０に用意された第２フォーマット信号入力端子に供給して、第４スイッチＳＷ４だけがオンになれば基底状態の第２フォーマット信号Ｍ２をタイミング制御部２０に用意された第２フォーマット信号入力端子に供給する。尚、第３フォーマット信号生成部２２ｃはスイチング制御信号に応答して第５及び第６スイッチＳＷ５、ＳＷ６中、第５スイッチＳＷ５だけがオンになればハイ状態の第３フォーマット信号Ｍ３をタイミング制御部２０に用意された第２フォーマット信号入力端子に供給して、第６スイッチＳＷ６だけがオンになれば基底状態の第３フォーマット信号Ｍ３をタイミング制御部２０に用意された第３フォーマット信号入力端子に供給する。
【００１８】
タイミング制御部２０は映像信号処理部１０から供給される複合同期信号から水平同期信号Ｈ及び垂直同期信号Ｖを分離してデータドライバー３２に供給する。尚、タイミング制御部２０はフォーマット信号生成部２２から供給されるフォーマット信号Ｍ１、Ｍ２、Ｍ３により液晶パネル３０に表示される映像信号のフォーマットを設定して、設定されたフォーマットによりゲートドライバー３４及びデータドライバー３２のそれぞれの駆動タイミングを制御するための制御信号を生成する。すなわち、タイミング制御部２０はフォーマット信号生成部２２から供給されるフォーマット信号Ｍ１、Ｍ２、Ｍ３によりゲート制御信号ＧＳＰ、ＧＳＣ、ＧＯＥを発生してゲートドライバー３４を制御して、データ制御信号ＳＳＰ、ＳＳＣ、ＳＯＥを発生してデータドライバー３２を制御するようになる。
【００１９】
具体的に、タイミング制御部２０はフォーマット信号生成部２２から供給される第１乃至第３フォーマット信号Ｍ１、Ｍ２、Ｍ３を組み合わせて液晶パネル３０に表示される映像信号のフォーマットを設定して、設定された映像信号のフォーマットによりゲートドライバー３４及びデータドライバー３２のそれぞれの駆動タイミングを制御するための制御信号を生成して供給する。この時、タイミング制御部２０はフォーマット信号生成部２２から供給される第１乃至第３フォーマット信号Ｍ１、Ｍ２、Ｍ３を組み合わせて組み合わせて得られる論理値に沿って下の表１のような多数の映像フォーマットの中からいずれかを選択するようになる。
【００２０】
【表１】
2005020749.tif 000003
【００２１】
表１において第１乃至第８映像フォーマットは液晶パネル３０に映像信号を表示するためのデータラインの数及びゲートラインの数が異なるように設定された値である。
【００２２】
このような、従来の液晶表示装置の駆動装置及び駆動方法はシステムエンジニアにより予め設定されたフォーマット信号生成部２２の各スイッチＳＷ１乃至ＳＷ６のスイッチによりタイミング制御部２０において多数の映像フォーマットの中からいずれかを選択する。これによって、タイミング制御部２０は選択された映像フォーマットによりゲートドライバー３４及びデータドライバー３２のそれぞれを制御する。したがって、液晶パネル３０上にはタイミング制御部２０により選択された映像フォーマットが表示される。
【００２３】
このような、従来の液晶表示装置の駆動装置及び駆動方法は液晶パネル３０に表示される映像信号の映像フォーマットを選択するためのフォーマット信号生成部２２の各スイッチ、ＳＷ１乃至ＳＷ６のスイッチ制御信号がシステムエンジニアにより予め設定されるから使用者の趣向によって変更することができない問題点がある。
【発明の開示】
【発明が解決しようとする課題】
【００２４】
したがって、本発明の目的は使用者の命令に従ってＮＴＳＣ映像のフォーマットを選択的に変換させることができるようにした液晶表示装置の駆動装置及び駆動方法を提供するのにある。
【課題を解決するための手段】
【００２５】
前記目的を達成するために、本発明の実施例に係る液晶表示装置の駆動装置はゲートラインとデータラインの交差部それぞれに液晶セルが配列されて入力される映像信号と異なる映像フォーマットで前記映像信号を表示するための液晶パネルと、使用者の操作によりパルス信号を生成するスイッチと、前記パルス信号をカウンティングするカウンターと、前記カウンターから供給される入力信号に応答して前記液晶パネルに表示される前記映像信号の映像フォーマットを変更するタイミング制御部と、を具備することを特徴とする。
【００２６】
前記駆動装置は前記スイッチと前記カウンターとの間に配置されて前記パルス信号のノイズをとり除いて前記カウンターに供給するプルリブプルロブをさらに具備することを特徴とする。
【００２７】
前記駆動装置は外部から前記映像信号を供給受けて前記タイミング制御部に供給する映像信号処理部と、前記液晶パネルのデータラインを駆動させるためのデータドライバーと、前記液晶パネルのゲートラインを駆動させるためのゲートドライバーをさらに具備することを特徴とする。
【００２８】
前記駆動装置において前記映像フォーマットは前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦が一定の割合で拡大された第３映像フォーマットと、を具備することを特徴とする。
【００２９】
前記駆動装置において前記第１映像フォーマットは前記入力される映像信号と、前記映像信号の周辺に表示されるブラック信号を含むことを特徴とする。
【００３０】
前記駆動装置において前記第３映像フォーマットは前記入力される映像信号の映像フォーマットから横及び縦が一定の割合で拡大されて表示される映像信号と、前記映像信号の上側及び下側端に表示されるブラック信号を含むことを特徴とする。
【００３１】
前記駆動装置において前記第３映像フォーマットは前記入力映像信号の映像フォーマットから横及び縦が一定の割合で拡大されて表示される映像信号と、前記映像信号の左側及び右側端に表示されるブラック信号を含むことを特徴とする。
【００３２】
前記駆動装置において前記タイミング制御部は前記カウンターからの入力信号に応答して前記第１乃至第３映像フォーマットの中からいずれかの映像フォーマットを選択して選択された映像フォーマットにより前記ゲートドライバー及び前記データドライバーを制御することを特徴とする。
【００３３】
前記駆動装置において前記カウンター及びプルリブプルロブの中から少なくとも一つは前記タイミング制御部に内臓されることを特徴とする。
【００３４】
本発明の実施例に係る液晶表示装置の駆動装置は入力される映像信号を表示するための液晶パネルと、使用者の操作により前記液晶パネルに表示される前記映像信号の横及び縦の割合の比を変更して前記映像信号の映像フォーマットを変更するデータ変換部と、前記データ変換部からの前記映像信号を変更された前記映像フォーマットにより前記液晶パネルに供給するデータ駆動部と、を具備することを特徴とする。
【００３５】
前記駆動装置において前記データ変換部は使用者の操作によりパルス信号を生成するスイッチと、前記パルス信号をカウンティングするカウンターと、前記カウンターから供給される入力信号に応答して前記液晶パネルに表示される前記映像信号の映像フォーマットを変更するタイミング制御部と、を具備することを特徴とする。
【００３６】
前記駆動装置において前記データ変換部は前記スイッチと前記カウンターとの間に配置されて前記パルス信号のノイズをとり除いて前記カウンターに供給するプルリブプルロブをさらに具備することを特徴とする。
【００３７】
前記駆動装置は外部から前記映像信号を供給受けて前記タイミング制御部に供給する映像信号処理部と、前記液晶パネルにスキャン信号を供給するゲートドライバーをさらに具備することを特徴とする。
【００３８】
前記駆動装置において前記映像フォーマットは前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦が一定の割合で拡大された第３映像フォーマットを具備することを特徴にする. 
【００３９】
前記駆動装置において前記第１映像フォーマットは前記入力される映像信号と、前記映像信号の周辺に表示されるブラック信号を含むことを特徴とする。
【００４０】
前記駆動装置において前記第３映像フォーマットは前記入力される映像信号の映像フォーマットから横及び縦が一定の割合で拡大されて表示される映像信号と、前記映像信号の上側及び下側端に表示されるブラック信号を含むことを特徴とする。
【００４１】
前記駆動装置において前記第３映像フォーマットは前記入力映像信号の映像フォーマットから横及び縦が一定の割合で拡大されて表示される映像信号と、前記映像信号の左側及び右側端に表示されるブラック信号を含むことを特徴とする。
【００４２】
前記駆動装置において前記タイミング制御部は前記カウンターからの入力信号に応答して前記第１乃至第３映像フォーマットの中からいずれかの映像フォーマットを選択して選択された映像フォーマットにより前記ゲートドライバー及び前記データドライバーを制御することを特徴とする。
【００４３】
本発明の実施例に係る液晶表示装置の駆動方法はゲートラインとデータラインの交差部それぞれに液晶セルが配列されて入力される映像信号と異なる映像フォーマットで前記映像信号を表示するための液晶パネルを用意する工程と、使用者の操作によりパルス信号を生成する工程と、カウンターを利用して前記パルス信号をカウンティングする工程と、前記カウンターから供給される入力信号に応答して前記液晶パネルに表示される前記映像信号の映像フォーマットを変更する工程を含むことを特徴とする。
【００４４】
前記駆動方法は前記パルス信号のノイズをとり除いて前記カウンターに供給する工程をさらに含むことを特徴とする。
【００４５】
前記駆動方法において前記映像フォーマットは前記タイミング制御部に入力される前記映像信号の映像フォーマットが前記液晶パネルに上にそのまま表示されるように横及び縦の割合がそのまま維持された第１映像フォーマットと、前記タイミング制御部に入力される前記映像信号の映像フォーマットが前記液晶パネルの全体画面に表示されるように横及び縦の割合が拡大された第２映像フォーマットと、前記タイミング制御部に入力される前記映像信号の映像フォーマットが前記液晶パネル上に表示されるように横及び縦の割合が一定の割合で拡大された第３映像フォーマットを含むことを特徴とする。
【００４６】
前記駆動方法において前記第１映像フォーマットは前記入力される映像信号と、前記映像信号の周辺に表示されるブラック信号を含むことを特徴とする。
【００４７】
前記駆動方法において前記第３映像フォーマットは前記入力される映像信号の映像フォーマットから横及び縦が一定の割合で拡大されて表示される映像信号と、前記映像信号の上側及び下側端に表示されるブラック信号を含むことを特徴とする。
【００４８】
前記駆動方法において前記第３映像フォーマットは前記入力映像信号の映像フォーマットから横及び縦が一定の割合で拡大されて表示される映像信号と、前記映像信号の左側及び右側端に表示されるブラック信号を含むことを特徴とする。
【００４９】
前記駆動方法において前記液晶パネルに表示される前記映像信号の映像フォーマットを変更する工程は前記カウンターからの入力信号に応答して前記第１乃至第３映像フォーマットの中からいずれかの映像フォーマットを選択する工程と、前記選択された映像フォーマットにより前記ゲートラインを駆動させるためのゲートドライバー及び前記データラインを駆動させるためのデータドライバーを制御する工程を含むことを特徴とする。
【発明の効果】
【００５０】
上述したところのように、本発明の実施例に係る液晶表示装置の駆動装置及び駆動方法は使用者の操作にパルス信号を発生するトグルスイッチとトグルスイッチのスイチングによるパルス信号をカウンティングするカウンターと、カウンターからのカウンティング信号に応答して液晶パネルに表示される映像フォーマットを設定するタイミング制御部を具備する。これによって、本発明の実施例に係る液晶表示装置の駆動装置及び駆動方法は使用者の操作により液晶パネルに表示される映像信号の映像フォーマットを変更することができるようになる。したがって、本発明の実施例に係る液晶表示装置の駆動装置及び駆動方法は液晶パネルに表示される映像信号の映像フォーマットを使用者の趣向に沿って変更することができる。
【発明を実施するための最良の形態】
【００５１】
［実施例］
以下、本発明の実施例を添付した図３乃至図８を参照して詳細に説明する事にする。
【００５２】
図３を参照すれば、本発明の実施例に係る液晶表示装置の駆動装置及び駆動方法は液晶セルがマトリックスタイプに配列された液晶パネル１３０と、液晶パネル１３０のゲートラインＧＬを駆動するためのゲートドライバー１３４と、液晶パネル１３０のデータラインＤＬを駆動するためのデータドライバー１３２と、外部から入力される映像信号ＮＴＳＣを液晶パネル１３０の駆動に適当な電圧に変換することと同時に映像信号ＮＴＳＣで複合同期信号を出力する映像信号処理部１１０と、使用者の操作によるパルス信号を発生するトグルスイッチＴｓと、トグルスイッチＴｓからのパルス信号に応答して液晶パネル１３０に表示される映像信号ＮＴＳＣのフォーマットを変換するためのフォーマット信号ＭＳを生成するフォーマット信号生成部１２２と、映像信号処理部１１０から複合同期信号を入力受けて水平同期信号及び垂直同期信号を分離して出力することと同時にフォーマット信号生成部１２２から供給されるフォーマット信号ＭＳに沿ってゲートドライバー１３４及びデータドライバー１３２を制御するタイミング制御部１２０と、を具備する。
【００５３】
映像信号処理部１１０は外部から供給される映像信号ＮＴＳＣを液晶パネル１３０の特性に沿って駆動に適当な電圧に変換してデータドライバー１３２に供給して、複合同期信号をタイミング制御部１２０に供給する。
【００５４】
液晶パネル１３０はマトリックスタイプに配列された液晶セルと、ゲートラインＧＬとデータラインＤＬの交差部毎に形成されて液晶セルそれぞれと接続されたＴＦＴを具備する。
【００５５】
ＴＦＴはゲートラインＧＬからのスキャン信号、すなわちゲートハイ電圧ＶＧＨが供給される場合ターンオンされてデータラインＤＬからの画素信号を液晶セルに供給する。及び、ＴＦＴはゲートラインＧＬからゲートロー電圧ＶＧＬが供給される場合ターンオフされて液晶セルに充電された画素信号が維持されるようにする。
【００５６】
液晶セルは等価的に液晶用量キャパシターＣｌｃに表現されて、液晶を間に置いて対面する共通電極とＴＦＴに接続された画素電極を含む。及び、液晶セルは充電された画素信号が次の画素信号が充電されるまで安定的に維持されるようにするためにストレージキャパシターＣｓｔをさらに具備する。このストレージキャパシターＣｓｔは以前端ゲートラインと画素電極との間に形成される。このような液晶セルはＴＦＴを通じて充電される画素信号により誘電異方性を有する液晶の配列状態が可変して光透過率を調節することで階調を具現するようになる。
【００５７】
ゲートドライバー１３４はタイミング制御部１２０からのゲート制御信号ＧＳＰ、ＧＳＣ、ＧＯＥに応答してゲートラインＧＬに順次的にゲートハイ電圧ＶＧＨを供給する。これによって、ゲートドライバー１３４はゲートラインＧＬに接続されたＴＦＴをゲートラインＧＬ単位に駆動する。
【００５８】
具体的に、ゲートドライバー１３４はゲートスタートパルスＧＳＰをゲートシフトパルスＧＳＣによりシフトさせてシフトパルスを発生する。及び、ゲートドライバー１３４はシフトパルスに応答して水平期間Ｈ１、Ｈ２、...毎に該当のゲートラインＧＬにゲートハイ電圧ＶＧＨを供給するようになる。この場合、ゲートドライバー１３４はゲート出力イネーブル信号ＧＯＥに応答してイネーブル期間でばかりゲートハイ電圧ＶＧＨを供給するようになる。及び、ゲートドライバー１３４はゲートラインＧＬにゲートハイ電圧ＶＧＨが供給されない他の期間ではゲートロー電圧ＶＧＬを供給するようになる。
【００５９】
データドライバー１３２はタイミング制御部１２０からのデータ制御信号ＳＳＰ、ＳＳＣ、ＳＯＥに応答して水平期間Ｈ１、Ｈ２、...毎に１ライン分ずつの画素データ信号をデータラインＤＬに供給する。
【００６０】
具体的に、データドライバー１３２はソーススタートパルスＳＳＰをソースシフトクラークＳＳＣによりシフトさせてサンプリング信号を発生する。引き継いで、データドライバー１３２はサンプリング信号に応答してアナログ映像信号Ｒ、Ｇ、Ｂを一定単位ずつ順次的に入力してラッチする。及び、データドライバー１３２はラッチされた１ライン分の画素データ信号をデータラインＤＬに供給するようになる。
【００６１】
トグルスイッチＴｓは使用者の操作によりスイチングされてパルス信号を発生する。トグルスイッチＴｓにより発生されたパルス信号はフォーマット信号生成部１２２に供給される。
【００６２】
フォーマット信号生成部１２２は図４に図示されたところのようにトグルスイッチＴｓから入力されるパルス信号のノイズ成分をとり除くためのＤプルリブプルロブ１２４と、Ｄプルリブプルロブ１２４から供給される出力信号をカウンティングするためのカウンター１２６を具備する。
【００６３】
Ｄプルリブプルロブ１２４の入力端子ＤにはトグルスイッチＴｓからのパルス信号が入力されて、クラーク端子には基準クラークＣＬＫが供給される。このような、Ｄプルリブプルロブ１２４は基準クラークＣＬＫを利用してトグルスイッチＴｓから供給されるパルス信号のノイズ成分をとり除いてカウンター１２６に供給するようになる。
【００６４】
カウンター１２６はＤプルリブプルロブ１２４から供給される出力信号をカウンティングして、カウンティングされたフォーマット信号ＭＳをタイミング制御部１２０に供給する。
【００６５】
このような、フォーマット信号生成部１２２は使用者の操作によりトグルスイッチＴｓがトグルの毎にイベントが変わってカウンター１２６の出力が１ずつ増加するようになる。一方、フォーマット信号生成部１２２のＤプルリブプルロブ１２４及びカウンター１２６はタイミング制御部１２０に内臓されるとか、カウンター１２６だけがタイミング制御部１２０に内臓されることができる。
【００６６】
タイミング制御部１２０は映像信号処理部１１０から供給される複合同期信号から水平同期信号及び垂直同期信号を分離してデータドライバー１３２に供給する。尚、タイミング制御部１２０はフォーマット信号生成部１２２から供給されるフォーマット信号ＭＳにより液晶パネル１３０に表示される映像信号のフォーマットを設定して、設定されたフォーマットによりゲートドライバー１３４及びデータドライバー１３２それぞれの駆動タイミングを制御するための制御信号を生成する。すなわち、タイミング制御部１２０はフォーマット信号生成部１２２から供給されるフォーマット信号ＭＳによりゲート制御信号ＧＳＰ、ＧＳＣ、ＧＯＥを発生してゲートドライバー１３４を制御して、データ制御信号ＳＳＰ、ＳＳＣ、ＳＯＥを発生してデータドライバー１３２を制御するようになる。この時、トグルスイッチＴｓ、フォーマット信号生成部１２２及びタイミング制御部１２０は使用者の操作により液晶パネル１３０に表示される映像信号のフォーマットを変更するためのデータ変換部になる。
【００６７】
具体的に、タイミング制御部１２０はフォーマット信号生成部１２２から供給される第１乃至第３フォーマット信号Ｍ１、Ｍ２、Ｍ３を組み合わせて液晶パネル３０に表示される映像信号のフォーマットを設定して、設定された映像信号のフォーマットによりゲートドライバー１３４及びデータドライバー１３２それぞれの駆動タイミングを制御するための制御信号を生成して供給する。この時、タイミング制御部１２０はフォーマット信号生成部１２２から供給されるフォーマット信号ＭＳに係る映像フォーマットを選択するようになる。
【００６８】
この時、フォーマット信号ＭＳによりタイミング制御部１２０において選択されられる映像フォーマットは図５乃至図７に図示されたところのように液晶パネル１３０に映像信号を表示するためのデータラインの数ａ及びゲートラインの数ｂが異なくなるように設定される。
【００６９】
例えば、使用者がトグルスイッチＴｓを１回スイチングした場合タイミング制御部１２０に選択されられて液晶パネル１３０に表示される映像フォーマットは映像信号を１６:９割合で拡大して図５に図示されたところのように液晶パネル１３０の全体画面に画像が表示される。尚、使用者がトグルスイッチＴｓを２回スイチングした場合タイミング制御部１２０に選択されられて液晶パネル１３０に表示される映像フォーマットは映像信号を１６:９割合で拡大して図６に図示されたところのように液晶パネル１３０上に左側及び右側に映像信号が表示されないでブラック信号だけが表示される余白領域が存在するように画像が表示される。一方、使用者がトグルスイッチＴｓを３回スイチングした場合タイミング制御部１２０に選択されられて液晶パネル１３０に表示される映像フォーマットは映像信号を１６:９の割合で拡大して図６に図示されたところのように液晶パネル１３０上に上側及び下側に映像信号が表示されないでブラック信号だけが表示される余白領域が存在するように画像が表示される。
【００７０】
他の一方で、使用者がトグルスイッチＴｓを４回スイチングした場合タイミング制御部１２０に選択されられて液晶パネル１３０に表示される映像フォーマットは映像信号を拡大しない４:３割合そのまま図８に図示されたところのように液晶パネル１３０上に左右側と上下側に映像信号が表示されないでブラック信号だけが表示される余白領域が存在するように画像が表示される。
【００７１】
以外にも使用者の操作されたトグルスイッチＴｓのスイチングにより多様な形態の映像フォーマットが液晶パネル１３０に表示されることができる。
【００７２】
以上説明した内容を通じて当業者であれば本発明の技術思想を一脱しない範囲で多様な変更及び修正ができる。したがって、本発明の技術的範囲は明細書の詳細な説明に記載した内容に限定されるのではなく特許請求の範囲により決められなければならない。
【図面の簡単な説明】
【００７３】
【図１】一般的な液晶表示装置の駆動装置を示すブロック図である。
【図２】図１に図示されたフォーマット信号生成部を示す回路図である。
【図３】本発明の実施例に係る液晶表示装置の駆動装置を示すブロック図である。
【図４】図３に図示されたフォーマット信号生成部を示す回路図である。
【図５】入力される映像信号を拡大して液晶パネルの全体画面に表示するための映像フォーマットを示す図面である。
【図６】液晶パネルの左側及び右側端にブラック信号と一緒に入力される映像信号を拡大して表示するための映像フォーマットを示す図面である。
【図７】液晶パネルの上側及び下側端にブラック信号と一緒に入力される映像信号を拡大して表示するための映像フォーマットを示す図面である。
【図８】入力される映像信号をそのままの割合で液晶パネル上に表示するための映像フォーマットを示す図面である。
【符号の説明】
【００７４】
１０、１１０・・・映像信号処理部
２０、１２０・・・タイミング制御部
２２、１２２・・・フォーマット信号生成部
２２ａ・・・第１フォーマット信号生成部
２２ｂ・・・第２フォーマット信号生成部
２２ｃ・・・第３フォーマット信号生成部
３０、１３０・・・液晶パネル
３２、１３２・・・データドライバー
３４、１３４・・・ゲートドライバー
１２４・・・Ｄプルリブプルロブ
１２６・・・カウンター
【図１】
2005020749.tif 000004
【図２】
2005020749.tif 000005
【図３】
2005020749.tif 000006
【図４】
2005020749.tif 000007
【図５】
2005020749.tif 000008
【図６】
2005020749.tif 000009
【図７】
2005020749.tif 000010
【図８】
2005020749.tif 000011